(57)【要約】【課題】表面シートの外観を損なわず、内部に収納される物品の内容を目視することができる収納袋を提供する。【解決手段】表面シート２が裏面シート３に重ねられ、開口する袋状に接合されるものであり、表面シート２および裏面シート３が同サイズの長方形をなす透明な合成樹脂製のフィルムから形成され、表面シート２の外面に形成されるインキ層からなる筆記面部８が設けられ、筆記面部８がインキ層の存在しないスリット部９により複数に区画される。【選択図】図１
0003218343.tif 000002
【実用新案登録請求の範囲】
【請求項１】
透明な合成樹脂製のフィルムから形成される表面シートと、前記表面シートが重ねられ、開口する袋状に接合される裏面シートとを有し、前記表面シートが、その外面に形成されるインキ層からなる筆記面部を有する収納袋。
【請求項２】
前記裏面シートが透明な合成樹脂製のフィルムから形成されている請求項１に記載の収納袋。
【請求項３】
前記裏面シートが不織布から形成されている請求項１に記載の収納袋。
【請求項４】
前記筆記面部が前記インキ層の存在しないスリット部により複数に区画されている請求項１〜３のいずれかに記載の収納袋。
【請求項５】
前記表面シートまたは裏面シートのいずれか一方に連接され、前記開口を開閉するフラップを有する請求項１〜４のいずれかに記載の収納袋。
【考案の詳細な説明】
【技術分野】
【０００１】
この考案は、シート状の物品やディスク類を保存するために収納し、その収納された物品を目視することできる収納袋に関するものである。
【背景技術】
【０００２】
従来から、写真、カード、帳票、各種リーフレットなどのシート状の物品や、ＣＤ（コンパクトディスク）、ＤＶＤ（デジタルビデオディスク）のディスク類は、汚損や傷から保護する目的で収納袋に保存することが行なわれている。
【０００３】
シート状の物品を収納する収納袋では、透明な合成樹脂製のフィルムからなる表面シートおよび裏面シートを上端以外の左右両側および下端においてヒートシールにて接合させ、上端開口部より物品の出し入れを行なうように形成されている（特許文献１参照）。
【０００４】
また、ディスク類を収納する収納袋では、透明な合成樹脂製のフィルムからなる表面シートと不織布からなる裏面シートとを上端以外の左右両側および下端においてヒートシールにて接合させ、上端開口部より物品の出し入れを行なうように形成されている。
【０００５】
このような、シート状の物品やディスク類を保存する収納袋は、表面シートが透明な合成樹脂製のフィルムから形成されていることから、収納される物品を目視することができる。
【先行技術文献】
【特許文献】
【０００６】
【特許文献１】特再表２０１６／０７５７１９号公報
【考案の概要】
【考案が解決しようとする課題】
【０００７】
特許文献１に記載された収納袋では、表面シートが透明な合成樹脂製のフィルムであるため、目視することができるのは、収納されたシート状の物品のうち、表面側または裏面側にされた印刷面などである。
【０００８】
このため、収納袋に複数枚のシート状の物品が重ねて収納されていると、収納されているシート状の物品を目視により把握することが難しく、収納袋から複数枚のシート状の物品を引き出して、物品の内容を確認する必要があった。
【０００９】
また、ディスク類を収納する収納袋では、収納されているディスク類の表面を目視することができるが、保存されているデータ内容まで把握することが難しい。
【００１０】
そこで、収納されるシート状の物品の内容やディスク類のデータ内容を把握する目的で、表面シートに直接、鉛筆やボールペン、油性ペンなどの筆記具により、内容を書き込むことが考えられる。この場合、透明な合成樹脂製の表面シートに書き込むことができる筆記具は限られ、また、見栄え良く文字などを書き込むことが難しい。
【００１１】
また、紙製のいわゆるインデックス用シールを表面シートに貼り付け、そのシールに文字などを書き込むことも考えられる。しかしながら、表面フィルムにおいて、シールを貼り付けた部分が他の部分に対して厚みが増し、手触りが異なるものとなって、シールと収納袋との統一感がない。また、インデックス用シールの貼り付けは、収納袋毎に一枚ずつ行う必要があり、手間が掛かるものである。
【００１２】
そこで、この考案の解決すべき課題は、表面シートの外観を損なわず、内部に収納される物品の内容を目視することができる収納袋を提供することである。
【課題を解決するための手段】
【００１３】
前記の課題を解決するために、この考案に係る収納袋としては、透明な合成樹脂製のフィルムから形成される表面シートと、前記表面シートが重ねられ、開口する袋状に接合される裏面シートとを有し、前記表面シートが、その外面に形成されるインキ層からなる筆記面部を有する構成を採用することができる。
【００１４】
この構成の収納袋は、あらかじめ表面シートの外面に筆記面部を有しているので、収納袋に物品を収納する際、収納される物品の内容を筆記面部に記入することができる。また、収納後に、収納された物品の内容を把握するには、筆記面部を確認すればよい。
【００１５】
前記裏面シートが透明な合成樹脂製のフィルムから形成されている構成を採用してもよい。この場合、シート状の物品を収納する際、そのシート状の物品の表面および裏面を裏面シート側から目視することができる。
【００１６】
前記裏面シートが不織布から形成されている構成を採用することができる。この構成では、収納袋内にＣＤ、ＤＶＤなどのディスク類を収納することが可能となり、収納されるディスク類のデータ記録面を不織布で保護することができる。
【００１７】
また、前記筆記面部が前記インキ層の存在しないスリット部により複数に区画されている構成を採用することができる。この場合、スリット部により複数に区画された筆記面部の区画部分ごとに文字を記入すれば、例えば、シート状の物品が複数収納されている場合に、物品毎の内容を記入することができる。
【００１８】
前記表面シートまたは裏面シートのいずれか一方に連接され、前記開口を開閉するフラップを有する構成を採用することができる。この構成では、物品を収納した状態で収納袋内に異物の侵入を防止することができる。また、収納されている物品が不用意に脱落することを防止することができる。
【考案の効果】
【００１９】
以上のように、この考案では、表面シートの外面にインキ層から形成される筆記面部を有しているので、筆記面部に筆記具で収納される物品の内容を記入することができる。また、内部に収納される物品の内容を、筆記面部を目視することで容易に把握することができる。
【図面の簡単な説明】
【００２０】
【図１】この考案の第一実施形態に係る収納袋の正面図
【図２】（ａ）図１のＩＩＡ−ＩＩＡ線における断面図、（ｂ）図１のＩＩＢ−ＩＩＢ線における断面図
【図３】（ａ）この考案の第二実施形態に係る収納袋の正面図、（ｂ）図３（ａ）のＶＢ−ＶＢ線における断面図
【考案を実施するための形態】
【００２１】
以下、この考案の第一実施形態に係る収納袋を添付図面の図１、２に基づいて説明する。この実施形態に係る収納袋１は、写真、カード、帳票または各種リーフレット等のシート状の物品Ｃを収納するものである。
【００２２】
収納袋１は、一定幅の長尺の透明な合成樹脂製のフィルムを幅方向に二つ折りし、長さ方向に所定間隔で溶断して形成されたものであって、同じ長方形をなす表面シート２および裏面シート３が重ねられ、袋状に形成されたものである。
【００２３】
収納袋１は、長さ方向に沿う一対の辺が接合されてなる側辺４、５と、幅方向に沿う一対の辺のうち一方の辺が接合されてなる底辺６と、他方の辺が接合されずに開口する状態となっている開口部７と、表面シート２の外面に形成されるインキ層からなる筆記面部８とを有する。
【００２４】
表面シート２および裏面シート３は、例えば、ポリプロピレンなどの透明な合成樹脂製のフィルムからなる。なお、表面シート２および裏面シート３は、ポリエチレンなどのその他の合成樹脂製のフィルムとしても良く、透明な合成樹脂製のフィルムであれば、ポリプロピレンに限定されない。
【００２５】
側辺４、５は、溶断されることにより形成され、側辺４、５のシール幅（表面シート２と裏面シート３との接合幅）は、収納袋１の幅に対して十分に小さいものとなる。底辺６は、表面シート２と裏面シート３との間に設けられる折り目線により形成される。
【００２６】
側辺４、５及び底辺６を有する収納袋１は、例えば、Ｌ判、２Ｌ判などの写真のサイズ、はがきサイズ、またはＢ５、Ａ４などの帳票のサイズ等の一般的なサイズのシート状の物品を収納する場合、それらのサイズよりもわずかに大きいサイズに形成される。その結果、シート状の物品Ｃは収納袋１内での位置がずれ難くなる。
【００２７】
筆記面部８は、図２（ａ）に示すように、表面シート２の外面に形成された矩形のインキ層からなる。筆記面部８は、表面シート２の幅方向中央に対して、開口部７寄りに配置されている。筆記面部８の表面シート２の幅方向の両側縁は、側辺４、５と平行であり、筆記面部８の表面シート２の長さ方向の両側縁は、底辺６と平行である。
【００２８】
筆記面部８は、水性ペン、油性ペンや鉛筆、ボールペンなどの各種の筆記具により筆記が可能である。筆記面部８を形成するインキ層としては、インキが表面シート２の外面上に塗布、印刷などにより形成されたものである。インキ層を構成するインキとしては、シリカ等の無機系材料の粉末を混合したインキ、例えば、マットインキを使用することができる。
【００２９】
また、図２（ｂ）に示すように、筆記面部８は、インキ層が存在しないスリット部９により複数に区画されている。スリット部９は、収納袋１の幅方向に延びる直線状であり、収納袋１の長さ方向に２本並んで平行に配置されている。
【００３０】
スリット部９により区画される筆記面部８のそれぞれの区画部分８ａは、スリット部９により完全に分離されている必要はなく、スリット部９の長さ方向両側において、繋がっていてもよい。また、スリット部９は、一本であってもよく、複数本設けてもよい。
【００３１】
この実施形態のスリット部９は、直線状であるが、曲線状でも、「年」、「月」、「日」などの文字や、星形、四角形、三角形などの図案や花や動物の一部分などの模様などの形状であってもよい。
【００３２】
この第一実施形態の収納袋１は、上記のように構成され、表面シート２の外面に筆記面部８を有しているので、その筆記面部８に筆記具により、収納されるシート状の物品Ｃに関する情報、例えば、内容、入手年月日、入手場所などの情報を書き込むことができる。
【００３３】
このような情報が筆記面部８に書き込まれていると、収納されているシート状の物品Ｃを目視により、容易に把握することができる。また、裏面シート３も透明な合成樹脂製のフィルムから形成されているので、裏面シート３側に、シート状の物品の表面が向く状態に収納すれば、裏面シート３側からもシート状の物品Ｃを目視することができる。
【００３４】
また、収納袋１は、筆記面部８が直線状のスリット部９により区画されているので、その複数の区画部分８ａごとに、シート状の物品Ｃの複数の情報を書き込むことができる。また、スリット部９は、筆記面部８を形成するインキ層が存在しない状態となっている。このため、スリット部９からシート状の物品を目視することができ、筆記面部８と収納されているシート状の物品Ｃとの一体感が得られ、見栄えが良くなる。
【００３５】
第一実施形態の収納袋１においては、表面シート２の開口部７側の縁部に連接され、開口部７を開閉するフラップを有するものとしてもよい。また、フラップは裏面シート３の開口部７側の縁部に連接してもよい。
【００３６】
この考案の第二実施形態に係る収納袋を図３に示す。この実施形態に係る収納袋２１は、裏面シート２２がシート状の不織布である点で第一実施形態と相違する。その他の構成において、第一実施形態の構成と同じものは、同じ符号を付して、その説明を省略する。
【００３７】
この実施形態の収納袋２１は、ＣＤやＤＶＤなどのディスク類Ｄを収納するものであり、透明な合成樹脂製のフィルムからなる表面シート２と、その表面シート２が重ねられ、開口する袋状に接合されるシート状の不織布からなる裏面シート２２とを有している。表面シート２および裏面シート２２は、同サイズの正方形をなし、ディスク類Ｄが収納可能な大きさを有している。
【００３８】
収納袋２１は、対向する一対の辺が接合されてなる側辺４、５と、側辺４、５と隣り合う一対の辺のうち一方の辺が接合されてなる底辺６と、他方の辺が接合されずに開口する状態となっている開口部７と、表面シート２の外面に形成されるインキ層からなる筆記面部８とを有する。側辺４、５および底辺６は、表面シート２と裏面シート２２との溶着により形成されている。
【００３９】
筆記面部８は、表面シート２の外面の中央部に対して開口部７寄りに位置している。筆記面部８は、インキ層が存在しない線状のスリット部９により四つに区画されている。
【００４０】
第二実施形態の収納袋２１は、主に、ＣＤやＤＶＤなどのディスク類Ｄが収納され、その記録面をシート状の不織布からなる裏面シート２２により保護することができる。また、収納袋２１は筆記面部８を有し、その筆記面部８が直線状のスリット部９により区画されている。このため、その複数の区画部分８ａごとに、ディスク類Ｄの記録データに関する内容を複数書き込むことができる。
【００４１】
このような情報が筆記面部８に書き込まれていると、収納されているディスク類Ｄの記録データの内容を目視により、容易に把握することができる。
【符号の説明】
【００４２】
１、２１  収納袋
２  表面シート
３、２２  裏面シート
４、５  側辺
６  底辺
７  開口部
８  筆記面部
８ａ  区画部分
９  スリット部
Ｃ  シート状の物品
Ｄ  ディスク類
【図１】
0003218343.tif 000003
【図２】
0003218343.tif 000004
【図３】
0003218343.tif 000005